(57)【要約】【課題】自動採点時等において、答案用紙に対する解答内容の正誤を示す正誤マークの大きさを適切なものとすることが可能な画像形成装置を提供する。【解決手段】各設問に対して設問内容が記載された設問領域Ｑ及び設問領域Ｑに隣接して解答内容が記載された解答領域Ａを有する答案用紙の答案画像データを取得する画像データ取得部１７と、取得した答案用紙の答案画像データから設問領域Ｑ及び解答領域Ａを認識する領域認識部２１と、認識された解答領域Ａ内の解答内容に対して正誤を判断する正誤判断部２３と、各設問に対する正誤を示す正誤マークＭＫを付するためのマーク領域Ｍを、各設問の設問領域Ｑ及び解答領域Ａを含み、且つ前後の設問のマーク領域Ｍと重ならない範囲で設定するマーク領域設定部２５と、各設問のマーク領域Ｍの範囲内で正誤マークＭＫの大きさを設定するマークサイズ部２７とを備える。【選択図】図２
2016225699.tif 000002
【特許請求の範囲】
【請求項１】
各設問に対して設問内容が記載された設問領域及び前記設問領域に隣接して解答内容が記載された解答領域を有する答案用紙の答案画像データを取得する答案画像データ取得部と、
前記取得した答案画像データから前記設問領域及び解答領域を認識する領域認識部と、
前記認識された解答領域内の解答内容に対して正誤を判断する正誤判断部と、
前記各設問に対する前記正誤を示す正誤マークを付するためのマーク領域を、前記各設問の設問領域及び解答領域を含み、且つ前後の設問のマーク領域と重ならない範囲で設定するマーク領域設定部と、
前記各設問の前記マーク領域の範囲内で前記正誤マークの大きさを設定するマークサイズ部と、
を備えることを特徴とする画像形成装置。
【請求項２】
請求項１記載の画像形成装置であって、
前記マーク領域設定部は、前記設問領域及び前記解答領域を含む第１矩形領域を前記マーク領域として設定し、
前記マークサイズ部は、前記正誤マークの最大幅と最大高さとで定義される第２矩形領域の大きさを、前記マーク領域の第１矩形領域の範囲内で設定する、
ことを特徴とする画像形成装置。
【請求項３】
請求項１又は２記載の画像形成装置であって、
前記マークサイズ部で設定された前記正誤マークの大きさに基づいて前記答案用紙上に前記正誤マークを印刷する印刷部を備える、
ことを特徴とする画像形成装置。
【請求項４】
各設問に対して設問内容が記載された設問領域及び前記設問領域に隣接して解答内容が記載された解答領域を有する答案用紙の答案画像データを取得する答案画像データ取得機能と、
前記取得した答案画像データから前記設問領域及び解答領域を認識する領域認識機能と、
前記認識された解答領域内の解答内容に対して正誤を判断する正誤判断機能と、
前記各設問に対する前記正誤を示す正誤マークを付するためのマーク領域を、前記各設問の設問領域及び解答領域を含み、且つ前後の設問のマーク領域と重ならない範囲で設定するマーク領域設定機能と、
前記各設問の前記マーク領域の範囲内で前記正誤マークの大きさを設定するマークサイズ機能と、
をコンピューターに実現させることを特徴とする画像形成プログラム。
【発明の詳細な説明】
【技術分野】
【０００１】
本発明は、答案用紙の自動採点等の際に、各設問の正誤を示すマークを印刷可能な画像形成装置及び画像形成プログラムに関する。
【背景技術】
【０００２】
答案用紙の自動採点技術としては、例えば特許文献１のように画像形成装置であるデジタル複写機を用いたものがある。
【０００３】
特許文献１のデジタル複写機は、答案用紙をスキャナーによって読み取り、読み取った答案用紙から解答欄内の文字を認識し、認識した文字に対する解答の正誤を判断して採点を行う。
【０００４】
採点結果は、読み取られた答案用紙のデータ上で点数や解答欄の文字に対する正誤マークが描画され、採点後の答案用紙は、点数や正誤マークが付された状態で印刷出力することができる。
【０００５】
しかし、特許文献１では、正誤マークを解答欄の文字に対して付するため、マークの大きさが文字の大きさや解答欄の大きさに依存して必ずしも適切なものとはならないという問題がある。
【先行技術文献】
【特許文献】
【０００６】
【特許文献１】特開平８−１８６６７２号公報
【発明の概要】
【発明が解決しようとする課題】
【０００７】
本発明が解決しようとする問題点は、自動採点時等に答案用紙に解答内容の正誤を示す正誤マークの大きさが適切なものとはならない点である。
【課題を解決するための手段】
【０００８】
本発明は、各設問に対して設問内容が記載された設問領域及び前記設問領域に隣接して解答内容が記載された解答領域を有する答案用紙の答案画像データを取得する答案画像データ取得部と、前記取得した答案画像データから前記設問領域及び解答領域を認識する領域認識部と、前記認識された解答領域内の解答内容に対して正誤を判断する正誤判断部と、前記各設問に対する前記正誤を示す正誤マークを付するためのマーク領域を、前記各設問の設問領域及び解答領域を含み、且つ前後の設問のマーク領域と重ならない範囲で設定するマーク領域設定部と、前記各設問の前記マーク領域の範囲内で前記正誤マークの大きさを設定するマークサイズ部とを備える画像形成装置を最も主な特徴とする。
【発明の効果】
【０００９】
本発明によれば、自動採点時等において、各設問の解答領域だけでなく設問領域をも利用して、正誤マークの大きさを適切なものとすることができる。
【図面の簡単な説明】
【００１０】
【図１】本発明の一実施例に係る画像形成装置を示すブロック図である。
【図２】図１の画像形成装置の画像認識部の詳細を正誤描画部と共に示すブロック図である。
【図３】模範答案用紙の一部を示す説明図である。
【図４】答案用紙の一部を示す説明図である。
【図５】大きさを設定するための正誤マークを示す概念図である。
【図６】図１の画像形成装置による正誤マーク印刷処理の流れを示すフローチャートである。
【発明を実施するための形態】
【００１１】
自動採点時等において、答案用紙に対する解答内容の正誤を示す正誤マークの大きさを適切なものとするために、各設問に対する正誤マークを付するためのマーク領域を各設問の設問領域及び解答領域を含み、且つ前後の設問のマーク領域と重ならない範囲で設定し、各設問のマーク領域内で正誤マークの大きさを設定することにより実現した。
【００１２】
［画像形成装置の構成］
図１は、本発明の一実施例に係る画像形成装置を示すブロック図である。
【００１３】
画像形成装置１は、例えばデジタル複合機等であり、スキャナー３、画像認識部５、正誤描画部７、給紙部９、印刷部１１、制御部１３、及び記憶部１５等を備える。
【００１４】
スキャナー３は、用紙上の原稿画像を読み取って画像データを生成する装置である。なお、スキャナー３は、画像形成装置１に一体的に設けられているが、画像形成装置１とは分離して設けられてもよい。
【００１５】
本実施例のスキャナー３は、模範答案用紙及び答案者毎の答案用紙を読み取って、それぞれ模範答案画像データ及び答案画像データを生成可能とする。
【００１６】
画像認識部５は、プログラムを実行して機能を実現するコンピューターとしての処理モジュールであり、模範答案用紙の模範答案画像データから各設問の設問領域、解答領域、及び模範解答を認識する。また、画像認識部５は、答案用紙の答案画像データから解答領域を認識し、解答領域内の解答内容の正誤を判断する。画像認識部５の詳細については後述する。
【００１７】
正誤描画部７は、プログラムを実行して機能を実現するコンピューターとしての処理モジュールであり、各設問に対して正誤を示す正誤マークを答案用紙上に印刷するための描画データを生成する。正誤描画部７の詳細については後述する。
【００１８】
給紙部９は、例えば給紙カセットや手差しトレーであり、セットされた用紙を印刷部１１へ給紙する。本実施例の給紙部９は、答案用紙をセットして印刷部１１へ給紙可能とする。
【００１９】
印刷部１１は、画像データに基づいて給紙部９から給紙された用紙上に画像を印刷する印刷エンジン等である。本実施例の印刷部１１は、答案用紙が給紙された場合に、答案用紙上に正誤マークを印刷する。
【００２０】
制御部１３は、ＣＰＵ（Central Processing Unit）等の演算処理装置であり、プログラムを実行して画像形成装置１の各部を制御する。
【００２１】
記憶部１５は、処理に必要なデータやプログラムを記憶するＲＯＭ（Read Only Memory）、作業領域としてのＲＡＭ（Random Access Memory）、補助記憶装置としてのＨＤＤ（Hard Disk Drive）等を含む記憶装置である。
【００２２】
図２は、図１の画像形成装置１の画像認識部５の詳細を正誤描画部７と共に示すブロック図である。
【００２３】
画像認識部５は、プログラムを実行することにより、画像データ取得部１７、領域認識部２１、正誤判断部２３、マーク領域設定部２５、マークサイズ部２７として機能する。
【００２４】
画像データ取得部１７は、模範答案画像データ取得部として模範答案画像データ取得機能を実現し、スキャナー３での模範答案用紙の読み取りによって生成された模範答案画像データを取得する。また、画像データ取得部１７は、答案画像データ取得部として答案画像データ取得機能を実現し、スキャナー３での答案用紙の読み取りによって生成された答案画像データを取得する。
【００２５】
領域認識部２１は、領域認識機能を実現し、模範答案画像データから各設問の設問領域、解答領域、及び模範解答を認識し、答案画像データから各設問の設問領域、解答領域、及び解答内容を認識する。なお、設問領域は、設問内容が記載された領域であり、解答領域は、設問領域に隣接して模範解答又は解答内容が記載された領域である。なお、各設問の設問領域と解答領域とは、隣接関係にあればよい。本実施例の各設問の設問領域と解答領域とは、後述する設問連続方向に隣接しているが、設問連続方向に対して交差する方向に隣接してもよい。
【００２６】
模範答案画像データから設問領域、解答領域、及び模範解答を認識する場合は、領域認識部２１が模範答案画像データのレイアウト解析を行う。
【００２７】
図３は、模範答案用紙の一部を示す説明図である。
【００２８】
模範答案画像データから設問領域Ｑを認識する際は、模範答案画像データのレイアウト解析により、設問特有のパターン（設問パターン）を認識する。
【００２９】
例えば、レイアウト解析では、ＯＣＲ（optical character recognition）やＩＣＲ（intelligent character recognition）等の文字認識技術が利用され、模範答案画像データから設問に必ず含まれる文字（設問文字）や設問を構成する文字の配列によるパターン（設問配列パターン）を設問パターンとして認識する。
【００３０】
設問文字は、本実施例において「問」、「１」、「２」、「（１）」、「（２）」等の設問を意味する漢字や数字である。設問文字は、事前に記憶部１５内に記憶しておくことで、レイアウト解析時に使用することが可能である。
【００３１】
設問配列パターンは、例えば模範答案用紙全体から判断して、設問を構成する文字列が相対的に用紙の左端側へずれた位置から始まる等、特定のパターンである。
【００３２】
認識される模範答案用紙の設問領域Ｑは、設問文字や設問配列パターンに応じた位置から始まる一群の文字列である。認識された設問領域Ｑの位置及び範囲等の設問領域情報は、領域認識部２１によって記憶部１５内に記憶される。
【００３３】
模範答案画像データから解答領域Ａを認識する際は、設問領域Ｑと同様に、模範答案画像データのレイアウト解析により、解答特有のパターン（解答パターン）を認識する。
【００３４】
解答パターンの認識は、解答タイプに応じたものとなる。例えば、解答タイプは、選択肢にマークを記入するタイプ（図３の例）の他、選択肢に付随するチェック欄にチェックを記入するタイプ、解答欄に選択肢を示す文字（選択肢文字）を記入するタイプ、選択肢を有さずに空欄に文章を記入するタイプ等がある。
【００３５】
選択肢にマークを記入する解答タイプの場合は、選択肢に必ず含まれる文字（例えば、選択肢文字）や選択肢を構成する文字の配列によるパターン（選択肢配列パターン）を解答パターンとして認識する。
【００３６】
選択肢文字は、設問文字とは異なる文字の種別であり、例えば本実施例において「ア」、「イ」、「ウ」、「イ」、「ロ」、「ハ」、「Ａ」、「Ｂ」、「Ｃ」等の選択肢を意味する仮名やアルファベットである。選択肢文字は、事前に記憶部１５内に記憶しておくことで、レイアウト解析時に使用することが可能である。
【００３７】
選択肢配列パターンは、例えば模範答案用紙全体から判断して、「ア」、「イ」、「ウ」等の選択肢文字から始まる複数行の選択肢の文字列が相対的に用紙の右端側へずれた位置から始まる、或は同行に複数の選択肢が存在する場合に選択肢文字の直前に空白が存在する等、特定のパターンである。
【００３８】
選択肢にマークを記入する場合に認識される解答領域Ａは、選択肢文字や選択肢配列パターンに応じた位置から始まる一群の文字列である。選択肢にマークを記入する場合は、選択肢パターン文字自体にマークを記入する場合の他、選択肢パターン文字から始まる文字列中にマークを記入する場合があるためである。
【００３９】
一方、解答タイプが選択肢に付随するチェック欄にチェックを記入するタイプや解答欄に選択肢を示す文字を記入するタイプの場合は、選択肢近辺に位置するチェック欄、「（）」や「＿」等の解答欄が解答領域Ａとなる。この場合、選択肢自体は、設問領域Ｑとして認識される。
【００４０】
解答タイプが空欄に文章を記入するタイプの場合は、設問領域Ｑと次に続く設問の設問領域Ｑとの間を解答領域Ａと認識することができる。
【００４１】
いずれの解答タイプの場合でも、認識された模範答案用紙の解答領域Ａの位置及び範囲等の解答領域情報は、領域認識部２１によって記憶部１５内に記憶される。
【００４２】
模範答案用紙の解答領域Ａ内の模範解答、例えばマークやチェックの位置或は選択肢文字若しくは文字列は、模範解答情報として領域認識部２１により記憶部１５内に記憶される。
【００４３】
図４は、答案用紙の一部を示す説明図である。なお、図４では、答案用紙上に正誤マークＭＫが付された状態を示している。
【００４４】
答案画像データからの設問領域Ｑ及び解答領域Ａの認識は、模範答案用紙の場合と同様に答案画像データをレイアウト解析し、或は模範答案用紙の設問領域情報及び解答領域情報とのマッチングにより、行うことができる。答案画像データの設問領域Ｑの設問領域情報及び解答領域Ａの解答領域情報並びに解答領域Ａ内の解答内容情報は、領域認識部２１により記憶部１５内に記憶される。解答内容情報は、解答領域Ａ内に記載されているマークやチェックの位置或は選択肢文字若しくは文字列等である。
【００４５】
正誤判断部２３は、正誤判断機能を実現し、答案画像データから認識された解答領域Ａ内の解答内容に対し、記憶部１５内の解答内容情報及び模範解答情報に基づいて正誤を判断する。判断された正誤情報は、正誤判断部２３が記憶部１５内に記憶する。
【００４６】
マーク領域設定部２５は、マーク領域設定機能を実現し、答案用紙上に各設問に対する正誤を示す正誤マークを付するためのマーク領域Ｍを設定する。マーク領域Ｍは、各設問の設問領域Ｑ及び解答領域Ａを含み、且つ前後の設問のマーク領域Ｍと重ならない範囲で設定される。
【００４７】
本実施例のマーク領域設定部２５は、設問領域Ｑ及び解答領域Ａを含む第１矩形領域Ｒ１をマーク領域Ｍとして設定する。
【００４８】
第１矩形領域Ｒ１は、図４のように設問連続方向Ｄにおいて短辺を有する場合、前後の設問のマーク領域Ｍ（第１矩形領域Ｒ１）と重ならない限り、短辺のサイズを調整することが可能である。
【００４９】
例えば、第１矩形領域Ｒ１の短辺が、特定の閾値以下となる程度に短い場合は、第１矩形領域Ｒ１の短辺が設問領域Ｑ及び解答領域Ａのみの設問連続方向Ｄの寸法に対して長くなるように調整する（例えば図４のマーク領域Ｍ１）。具体的には、マーク領域設定部２５は、第１矩形領域Ｒ１の短辺が設問領域Ｑ及び解答領域Ａのみの設問連続方向Ｄの寸法に対して、特定の長さ（例えば、１〜１０ｍｍの間で設定される特定の値）または特定の率（例えば、１〜１０％の間で設定される特定の値）だけ長くなるように調整することができる。逆に、第１矩形領域Ｒ１の短辺が、特定の閾値を上回る程度に長い場合は、第１矩形領域Ｒ１の短辺を設問領域Ｑ及び解答領域Ａのみの設問連続方向Ｄの寸法とするように調整する（例えば図４のマーク領域Ｍ２）。特定の閾値は、特定の長さ（例えば、１０〜３０ｍｍの間で設定される特定の値）又は特定の行数（例えば、２〜５行の間で設定される特定の値）とすることができる。
【００５０】
なお、第１矩形領域Ｒ１は、図４のように設問連続方向Ｄにおいて長辺を有する場合、特定の閾値との比較を行うことなく、第１矩形領域Ｒ１の長辺を設問領域Ｑ及び解答領域Ａのみの設問連続方向Ｄの寸法とするように調整する。
【００５１】
マーク領域Ｍの位置及び大きさ等のマーク領域情報は、マーク領域設定部２５により記憶部１５内に記憶される。
【００５２】
マークサイズ部２７は、マークサイズ機能を実現し、各設問のマーク領域Ｍの範囲内で正誤マークＭＫの大きさを設定する。なお、正誤マークＭＫは、「○」や「▲レ▼」等のベクター形式又はラスター形式の元画像データを拡大又は縮小して得られる。また、正誤マークＭＫは、正答と誤答とを区別できれば、「○」や「▲レ▼」に限定されるものではない。本実施例のマークサイズ部２７は、正誤マークＭＫの大きさがマーク領域Ｍ内での最大となるように、正誤マークＭＫの大きさを設定する。
【００５３】
図５は、大きさを設定するための正誤マークＭＫを示す概念図である。本実施例では、正誤マークＭＫに対して正誤マークＭＫの最大幅Ｗ及び最大高さＨによって定義される第２矩形領域Ｒ２が、図４のマーク領域Ｍの第１矩形領域Ｒ１内で最大となる大きさに設定される。このとき、正誤マークＭＫは、マーク領域Ｍの中央に位置させる。詳細には、第２の矩形領域Ｒ２は、マーク領域Ｍの中央に位置させる。正誤マークＭＫの大きさ及び位置のマーク設定情報は、マークサイズ部２７により記憶部１５内に記憶される。
【００５４】
正誤描画部７は、正誤描画機能を実現し、答案用紙に対する正誤マークＭＫの印刷実行指示に応じ、記憶部１５内の正誤マークＭＫの大きさ及び位置のマーク設定情報並びに正誤マークＭＫに基づき、正誤マークＭＫを印刷するための描画データを生成する。こうして生成した描画データに基づき、印刷部１１は、給紙部９から給紙された答案用紙上に正誤マークＭＫを印刷させる。
【００５５】
［正誤マーク印刷処理］
図６は、図１の画像形成装置１による正誤マーク印刷処理の流れを示すフローチャートである。
【００５６】
本実施例の正誤マーク印刷処理では、まず、正誤マークを印刷するためのモード、例えば自動採点モードに画像形成装置１を設定しておくことで開始される。
【００５７】
ステップＳ１では、「模範答案用紙を読み取ったか？」の判断が実行される。ここでは、ユーザーがスキャナー３に模範答案用紙をセットして読取の実行指示を入力すると、画像形成装置１がスキャナー３により模範答案用紙を読み取って模範答案画像データを生成する。生成された模範答案画像データは、画像データ取得部１７により取得される。従って、画像データ取得部１７は、模範答案画像データを取得したか否かを判断する。
【００５８】
画像データ取得部１７が模範答案画像データを取得した場合はステップＳ２へ移行し（ＹＥＳ）、画像データ取得部１７が模範答案画像データを取得しない限りステップＳ１の判断を繰り返す（ＮＯ）。
【００５９】
ステップＳ２では、「模範答案画像データからの設問領域、解答領域、及び模範解答の認識」が実行される。すなわち、領域認識部２１は、ステップＳ１で取得した模範答案画像データのレイアウト解析を行い、例えば図３のような各設問の設問領域Ｑ及び解答領域Ａの位置及び範囲並びに何が正解であるかを示す模範解答を認識する。
【００６０】
認識された設問領域Ｑ及び解答領域Ａの位置及び範囲並びに模範解答内容は、それぞれ設問領域情報、解答領域情報、及び模範解答情報として領域認識部２１により記憶部１５に記憶される。こうしてステップＳ２が完了すると、ステップＳ３へ移行する。
【００６１】
ステップＳ３では、「答案用紙を読み取ったか？」の判断が実行される。ここでは、ステップＳ１と同様にして、ユーザーによる答案用紙の読取の実行指示に応じて、スキャナー３で答案用紙を読み取ったか否かが判断される。すなわち、画像データ取得部１７は、スキャナー３で読み取られた答案用紙の答案画像データを取得したか否かを判断する。
【００６２】
画像データ取得部１７が答案画像データを取得した場合はステップＳ４へ移行し（ＹＥＳ）、画像データ取得部１７が答案画像データを取得しない限りステップＳ３の判断を繰り返す（ＮＯ）。
【００６３】
ステップＳ４では、「答案画像データからの設問領域、解答領域、及び解答内容の認識」が実行される。すなわち、領域認識部２１は、例えばステップＳ２と同様にして答案画像データのレイアウト解析を行い、図４のような各設問の設問領域Ｑ及び解答領域Ａの位置及び範囲並びに解答領域Ａ内の解答内容を認識する。
【００６４】
認識された設問領域Ｑの及び解答領域Ａの位置及び範囲並びに解答内容は、それぞれ設問領域情報、解答領域情報、及び解答内容情報として領域認識部２１により記憶部１５に記憶される。
【００６５】
次いで、ステップＳ５では、「解答内容の正誤判断」が実行される。すなわち、正誤判断部２３は、記憶部１５内の模範解答情報及び解答内容情報に基づいて、答案用紙の全ての設問に対する解答内容の正誤を判断する。判断された正誤情報は、正誤判断部２３が記憶部１５に記憶する。こうしてステップＳ５が完了すると、ステップＳ６へ移行する。
【００６６】
ステップＳ６では、「正誤マークの大きさ及び位置の設定」が実行される。すなわち、マークサイズ部２７は、記憶部１５内の正誤情報に基づく各設問に対する正誤マークＭＫを、図４のように答案用紙の各設問の設問領域Ｑ及び解答領域Ａを含む第１矩形領域Ｒ１内で最大となる大きさに設定する。
【００６７】
このとき、正誤マークＭＫの位置は、上記のようにマーク領域Ｍの中央に設定されるが、設定された大きさを維持する限り、マーク領域Ｍ内で適宜変更することが可能である。正誤マークＭＫは、正答を示す位置に配置してもよい。
【００６８】
正誤マークＭＫの大きさ及び位置のマーク設定情報は、マークサイズ部２７が記憶部１５内に記憶する。こうしてステップＳ６が完了すると、ステップＳ７へ移行する。
【００６９】
ステップＳ７では、「正誤マークの印刷実行指示を受け付けたか？」の判断が実行される。ここでは、ユーザーが給紙部９に答案用紙をセットして正誤マークＭＫの印刷実行指示を入力したか否かが判断される。なお、本実施例では、答案用紙自体に正誤マークＭＫを印刷する。
【００７０】
正誤マークの印刷実行指示を受け付けた場合はステップＳ８へ移行し（ＹＥＳ）、その印刷実行指示を受け付けない限りはステップＳ７の判断を繰り返す（ＮＯ）。
【００７１】
ステップＳ８では、「正誤マークの描画データ生成」が実行される。すなわち、正誤描画部７は、ステップＳ７での印刷実行指示に応じて、記憶部１５内のマーク設定情報並びに正誤マークＭＫに基づいて、正誤マークＭＫを印刷するための描画データを生成する。こうしてステップＳ８が完了すると、ステップＳ９へ移行する。
【００７２】
ステップＳ９では、「正誤マークの印刷」が実行される。すなわち、正誤描画部７は、ステップＳ８で生成した描画データに基づいて、給紙部９から給紙された答案用紙上に図４のように正誤マークＭＫを印刷部１１により印刷させる。こうしてマーク付き答案用紙を得ることができる。
【００７３】
なお、答案用紙が複数存在する場合は、ステップＳ３〜Ｓ６において、複数の答案用紙を連続的に読み込んで各答案用紙に対する正誤マークＭＫの大きさ及び位置の設定を連続的に行わせればよい。この場合、正誤マークＭＫの印刷は、読み込んだ順に連続的に給紙されるようにしておけば、各答案用紙に正誤マークＭＫを印刷することが可能である。
【００７４】
また、本実施例では、答案用紙自体に正誤マークＭＫを印刷する場合について説明したが、ステップＳ３で読み取った答案用紙の答案用紙画像データ上でステップＳ８のように正誤マークＭＫを描画した描画データを生成し、それに基づいて正誤マークＭＫが付された答案用紙を白紙の用紙に印刷してもよい。
【００７５】
また、本実施例では、正誤マークＭＫのみを印刷する例について説明したが、自動採点による点数を併せて印刷することも可能である。この場合は、採点テーブルを記憶部１５内に記憶しておくことで、正誤情報に基づく採点が可能となる。採点による点数の印刷時には、正誤マークＭＫと点数とで描画データを構成させればよい。
【００７６】
［実施例の効果］
以上説明したように、本実施例の画像形成装置１は、各設問に対して設問内容が記載された設問領域Ｑ及び設問領域Ｑに隣接して解答内容が記載された解答領域Ａを有する答案用紙の答案画像データを取得する画像データ取得部１７と、取得した答案画像データから設問領域Ｑ及び解答領域Ａを認識する領域認識部２１と、認識された解答領域Ａ内の解答内容に対して正誤を判断する正誤判断部２３と、各設問に対する正誤を示す正誤マークＭＫを付するためのマーク領域Ｍを、各設問の設問領域Ｑ及び解答領域Ａを含み、且つ前後の設問のマーク領域Ｍと重ならない範囲で設定するマーク領域設定部２５と、各設問のマーク領域Ｍの範囲内で正誤マークＭＫの大きさを設定するマークサイズ部２７とを備える。
【００７７】
従って、本実施例の画像形成装置１では、自動採点時等において、各設問の解答領域Ａだけでなく設問領域Ｑをも利用して、各設問のマーク領域Ｍの大きさの相違に対応しつつ、正誤マークＭＫの大きさを適切なものとすることができる。
【００７８】
このように、採点者であるユーザーは、正誤マークを手書きで答案用紙に付する必要がなく、採点ミスを無くすこともできる。結果として、採点者は、答案用紙にコメントやアドバイスを記入する等、答案者とのコミュニケーションに集中できる。
【００７９】
また、本実施例では、マーク領域設定部２５が、設問領域Ｑ及び解答領域Ａを含む第１矩形領域Ｒ１をマーク領域Ｍとして設定し、マークサイズ部２７が、正誤マークＭＫの最大幅Ｗと最大高さＨとで定義される第２矩形領域Ｒ２の大きさを、マーク領域Ｍの第１矩形領域Ｒ１の範囲内で設定する。
【００８０】
従って、本実施例では、正誤マークＭＫがマーク領域Ｍ内で最大となるようにして、容易に正誤マークＭＫの大きさを設定することができる。
【００８１】
また、本実施例では、マークサイズ部２７で設定された正誤マークＭＫの大きさに基づいて、実際の答案用紙上に正誤マークＭＫを印刷する印刷部１１を備えるので、用紙の無駄をなくして採点者側の低コスト化を図ることができる。
【符号の説明】
【００８２】
１  画像形成装置
１１  印刷部
１７  模範答案画像データ取得部
１９  答案画像データ取得部
２１  領域認識部
２３  正誤判断部
２５  マーク領域設定部
２７  マークサイズ部
Ａ  解答領域
Ｍ  マーク領域
ＭＫ  正誤マーク
Ｑ  設問領域
Ｒ１  第１矩形領域
Ｒ２  第２矩形領域
【図１】
2016225699.tif 000003
【図２】
2016225699.tif 000004
【図３】
2016225699.tif 000005
【図４】
2016225699.tif 000006
【図５】
2016225699.tif 000007
【図６】
2016225699.tif 000008